(57)【要約】【課題】  レーザ発光素子からの発熱をより効果的にフレーム側へ放熱できる光ヘッド装置を提供すること。【解決手段】  光ヘッド装置１において、フレーム６は、金属により形成され、光ディスクに対向する上面６ａおよび下面６ｂを有するとともに第１および第２のレーザ発光素子３１、３２が内設される上面６ａから下面６ｂに貫通した貫通部２２を有し、第１および第２のレーザ発光素子３１、３２のレーザ光の出射方向を前方とすると、第１および第２のレーザ発光素子３１、３２のステム３４、３５の前面より後方を第１のフレーム６１のリヤフレーム部６１ｃ、６１ｄとして、リヤフレーム部６１ｃ、６１ｄへレーザ発光素子３１、３２からの発熱を放熱する放熱グリス６９を有している。【選択図】      図２
2006139812.tif 000002
【特許請求の範囲】
【請求項１】
光ディスクに向かってレーザ光を出射するレーザ発光素子と、前記光ディスクからの反射光を受光する受光素子と、前記レーザ発光素子からの出射光を前記光ディスクに導くとともに該光ディスクからの反射光を前記受光素子に導く光学系と、前記レーザ発光素子と前記受光素子と前記光学系とが載置されたフレームとを備える光ヘッド装置において、
前記フレームは、金属により形成され、前記光ディスクに対向する上面および該上面の反対面となる下面を有するとともに前記レーザ発光素子が内設される前記上面から前記下面に貫通した貫通部を有し、前記レーザ発光素子のレーザ光の出射方向を前方とすると、前記レーザ発光素子のステムの前面より後方を前記フレームのリヤフレーム部として、該リヤフレーム部へ前記レーザ発光素子からの発熱を放熱する放熱部材を有することを特徴とする光ヘッド装置。
【請求項２】
請求項１において、前記放熱部材は、前記貫通部に配設されていることを特徴とする光ヘッド装置。
【請求項３】
請求項２において、前記放熱部材として放熱グリスを用い、前記貫通部に充填させたことを特徴とする光ヘッド装置。
【請求項４】
請求項１ないし３のいずれかにおいて、前記レーザ発光素子は、ホルダを介してフレームに固定され、該ホルダは金属によって形成されるとともに該ホルダと前記リヤフレーム部の貫通部との間に前記放熱部材を配設したことを特徴とする光ヘッド装置。
【請求項５】
請求項１ないし４のいずれかにおいて、前記フレームは、対物レンズ駆動装置が載置された第１フレームと、前記レーザ発光素子、前記受光素子、および前記光学系を構成する光学素子が載置された載置部を有する第２フレームとから構成され、前記第１フレームに前記貫通部が形成され、該貫通部は、前記第２フレームが内設されるとともに該貫通部に対向する前記第２フレームの対向面が接着固定されていることを特徴とする光ヘッド装置。
【発明の詳細な説明】
【技術分野】
【０００１】
本発明は、ＣＤやＤＶＤなどの光ディスクの記録、再生を行う光ヘッド装置に関するものである。さらに詳しくは、レーザ発光素子からの発熱をフレームへ放熱するための構成に関するものである。
【背景技術】
【０００２】
ＣＤやＤＶＤ等の光ディスクの記録、再生を行う光ヘッド装置は、光ディスクに向かってレーザ光を出射するレーザ発光素子と、光ディスクからの反射光を受光する受光素子と、レーザ発光素子からの出射光を光ディスクに導くとともに光ディスクからの反射光を受光素子に導く光学系等を備えており、これらのレーザ発光素子、受光素子および光学系は、本体フレームに載置されている。
【０００３】
近年、光ディスクの高記録密度化あるいは記録速度の高速化に伴い、光ヘッド装置が小型化されている。特に、ノートパソコンに内蔵される光ヘッド装置の場合、フレームの薄型化が要求されており、近年では略光学素子の厚さまで薄型化されたものが用いられている。（たとえば特許文献１参照）
【特許文献１】特開２００３−３３８０６３号公報
【発明の開示】
【発明が解決しようとする課題】
【０００４】
特許文献１に示す光ヘッド装置に用いられているレーザ発光素子は、フレームの薄型化に伴って、本来であれば円形であるステムが、図３に示されるように半径方向の一方側があたかも切り取られたような半円形状に形成されている。故に、レーザ発光素子のフレームに接着固定されている面積が減少し、レーザ発光素子からの発熱をフレーム側に放熱するのに必要な面積を確保することが困難になる。従って、レーザ発光素子の耐久性が悪いという問題がある。その対策として、たとえば、放熱板をレーザ発光素子からフレームに跨って設置し、レーザ発光素子の発熱をフレーム側に放熱するための経路を確保することも考えられるが、効果的に放熱できないという問題がある。
【０００５】
以上の問題点に鑑みて、本発明の課題は、レーザ発光素子からの発熱をより効果的にフレーム側へ放熱できる光ヘッド装置を提供することにある。
【課題を解決するための手段】
【０００６】
上記の課題を解決するため、本発明は、光ディスクに向かってレーザ光を出射するレーザ発光素子と、前記光ディスクからの反射光を受光する受光素子と、前記レーザ発光素子からの出射光を前記光ディスクに導くとともに該光ディスクからの反射光を前記受光素子に導く光学系と、前記レーザ発光素子と前記受光素子と前記光学系とが載置されたフレームとを備える光ヘッド装置において、前記フレームは、金属により形成され、前記光ディスクに対向する上面および該上面の反対面となる下面を有するとともに前記レーザ発光素子が内設される前記上面から前記下面に貫通した貫通部を有し、前記レーザ発光素子のレーザ光の出射方向を前方とすると、前記レーザ発光素子のステムの前面より後方を前記フレームのリヤフレーム部として、該リヤフレーム部へ前記レーザ発光素子からの発熱を放熱する放熱部材を有することを特徴とする。
【０００７】
また、本発明において、前記放熱部材は、前記貫通部に配設されていることが好ましい。このように構成すると、放熱部材をフレームの上面および下面からはみ出さないように、貫通部のみに配設することにより、放熱板をフレームの上面または下面に積層した構成に比べて光ヘッド装置の薄型化が図れる。
【０００８】
さらに、本発明では、前記放熱部材として放熱グリスを用い、前記貫通部に充填させることが好ましい。放熱グリスは、レーザ発光素子と貫通部との隙間等に隙間無く充填することができる。故に、このように構成することにより、レーザ発光素子からの発熱を効率よくリヤフレーム部側へ放熱することができる。
【０００９】
さらにまた、本発明において、前記レーザ発光素子は、ホルダを介してフレームに固定され、該ホルダは金属によって形成されるとともに該ホルダと前記リヤフレーム部の貫通部との間に前記放熱部材を配設したことが好ましい。このように構成すると、レーザ発光素子からの発熱をホルダを介してリヤフレーム部へ放熱することができる。故に、ステムの後方側にリード端子が接続されるＦＰＣが配設された場合であっても、レーザ発光素子からの発熱を効果的に放熱することができる。
【００１０】
また、本発明において、前記フレームは、対物レンズ駆動装置が載置された第１フレームと、前記レーザ発光素子、前記受光素子、および前記光学系を構成する光学素子が載置された載置部を有する第２フレームとから構成され、前記第１フレームに前記貫通部が形成され、該貫通部は、前記第２フレームが内設されるとともに該貫通部に対向する前記第２フレームの対向面が接着固定されていることが好ましい。このように構成すると、第１フレーム６１と第２フレーム６２とを３次元調整した後、両者の隙間に接着剤を充填して固定することによって、位置調整作業を一度に行うことができる。また、第１フレーム６１と第２フレーム６２とを熱伝導率の低い接着剤を介して固定された場合であっても、放熱部材によってレーザ発光素子のステムより後方側のリヤフレーム部へ放熱することができるのでレーザ発光素子からの発熱を効果的に放熱することができる。さらに、仕様が異なる様々な第１フレームに対して、共通の第２フレームを搭載することによって生産の合理化を図ることができる。
【発明の効果】
【００１１】
以上のように本発明にかかる光ヘッド装置ではフレームは、金属により形成され、光ディスクに対向する上面および下面を有するとともにレーザ発光素子が内設される上面から下面に貫通した貫通部を有し、レーザ発光素子のレーザ光の出射方向を前方とすると、レーザ発光素子のステムの前面より後方をフレームのリヤフレーム部として、リヤフレーム部へレーザ発光素子からの発熱を放熱する放熱部材を有している。故に、レーザ発光素子からの発熱を、レーザ発光素子のステムの前面より後方側のリヤフレーム部へ放熱することができるのでレーザ発光素子からの発熱を効果的に放熱することができる。
【発明を実施するための最良の形態】
【００１２】
以下、本発明を実施するための最良の形態を図面に基づいて説明する。
【００１３】
（光ヘッド装置の概略構成）
図１は、本発明の実施の形態にかかる光ヘッド装置の概略構成を模式的に示す概略構成図である。図２は、図１に示す光ヘッド装置を上面側から見たときの斜示図である。図３は、図１に示す光ヘッド装置を下面側からみたときの斜視図である。図４は、図１に示す光ヘッド装置の第２フレーム上に光学素子が載置された状態を下面側から示す斜示図である。図５は、図２に示す光ヘッド装置の第２のフレームおよびその近傍を拡大した拡大図である。図６は、図４に示す光ヘッド装置の受光素子周辺のＡ−Ａ断面を模式的に示す断面図である。
【００１４】
本形態における光ヘッド装置１は、ＣＤあるいはＤＶＤなどの光ディスク２に対する情報記録、情報再生を行うものであり、光ディスク２に向かってレーザ光を出射する光源としての第１および第２のレーザ発光素子３１、３２と、光ディスク２からの反射光を受光する受光素子７と、出射されたレーザ光を光ディスク２に集光させる対物レンズ９をトラッキング方向、フォーカシング方向およびチルト方向へ駆動する対物レンズ駆動装置５と、この対物レンズ駆動装置５を上面側に保持するとともに、第１および第２のレーザ発光素子３１、３２からの出射光を光ディスク２に導くとともに光ディスク２からの反射光を受光素子７に導く所定の光学系や、第１および第２のレーザ発光素子３１、３２や、受光素子７などが載置された本体フレーム６とを有している。
【００１５】
第１および第２のレーザ発光素子３１、３２は、それぞれ波長６５０ｎｍ（短波長）の第１のレーザ光を出射するＤＶＤ用のレーザ発光素子、および波長７８０ｎｍ（長波長）の第２のレーザ光を出射するＣＤ用のレーザ発光素子である。また、第１および第２のレーザ発光素子３１、３２は、ともに、円筒状の金属ケースに半導体レーザチップが内設されたキャンタイプであり、そのステム３４、３５の形状は、フレーム６の薄型化に対応できるように、本来であれば円形であるステムの半径方向の両側があたかも切り取られたような小判形状に形成されている。また、第１および第２のレーザ発光素子３１、３２は、それぞれ亜鉛ダイキャストによって形成されたホルダ１３、１７を介して本体フレーム６に載置されている。なお、ホルダ１３、１７は、必ずしも亜鉛ダイキャストに限定されるものではなく、アルミダイキャストまたはマグネシウムダイキャスト等により形成してもよい。
【００１６】
第１のレーザ発光素子３１から出射された第１のレーザ光Ｌ１は、光路分離素子としての偏光ビームスプリッタからなる第１のプリズム１５および光路合成素子としての偏光ビームスプリッタからなる第２のプリズム１０により、光ディスク２に向かう共通光学経路１１に導かれ、対物レンズ９により光ディスク２の記録面に集光するようになっている。第２のレーザ発光素子３２から出射された第２のレーザ光Ｌ２は、第２のプリズム１０により、共通光学経路１１に導かれ、対物レンズ９により光ディスク２の記録面に集光するようになっている。また、光ディスク２で反射されたレーザ光の戻り光（反射光）は、第２のプリズム１０を介して第１のプリズム１５に入射し、この第１のプリズム１５で分離されて受光素子７の受光面７ａに導かれるようになっている。
【００１７】
より具体的には、本体フレーム６上において、第１のレーザ発光素子３１から光ディスク２に向かう光路上には、第１のグレーティングレンズ１４、第１のプリズム１５、第２のプリズム１０、コリメータレンズ１８、立ち上げミラー１９、および対物レンズ９がこの順に配置されている。従って、第１のレーザ発光素子３１から出射された第１のレーザ光Ｌ１は、第１のグレーティングレンズ１４、第１のプリズム１５、および第２のプリズム１０を透過した後、コリメータレンズ１８で平行光化され、しかる後に、立ち上げミラー１９で上方に導かれ、対物レンズ９によって光ディスク２の記録面に光スポットとして集光するようになっている。
【００１８】
また、第２のレーザ発光素子３２から光ディスク２に向かう光路上には、リレーレンズ１２、第２のグレーティングレンズ１６、第２のプリズム１０、コリメータレンズ１８、立ち上げミラー１９、および対物レンズ９がこの順に配置されている。従って、第２のレーザ発光素子３２から出射された第２のレーザ光Ｌ２は、リレーレンズ１２、および第２のグレーティングレンズ１６を透過した後、その一部が第２のプリズム１０で部分反射された後、コリメータレンズ１８で平行光化され、しかる後に、立ち上げミラー１９で上方に導かれ、対物レンズ９によって光ディスク２の記録面に光スポットとして集光するようになっている。
【００１９】
さらに、光ディスク２での反射光Ｌｒは、上記とは反対の光路を辿り、対物レンズ９、立ち上げミラー１９、コリメータレンズ１８、第２のプリズム１０を経て第１のプリズム１５に入射するようになっている。その後、第２のプリズム１５で部分反射された反射光は、センサレンズ２０を透過した後、導光ミラー２１により立ち上げられて受光素子７の受光面７ａに至るようになっている。
【００２０】
なお、第２プリズム１０の側方には、第１および第２のレーザ発光素子３１、３２の出力を調整するためのモニタ用受光素子２３が設けられている。このモニタ用受光素子２３は、第１のレーザ発光素子３１から出射され第２のプリズム１０で部分反射された第１のレーザ光を受光し、かつ、第２のレーザ発光素子３２から出射され第２のプリズム１０を透過した第２のレーザ光を受光する位置に配設されている。
【００２１】
本体フレーム６は、図２、図３に示すように、第１フレーム６１と第２フレーム６２とから構成されており、光ディスク２に対向する上面６ａとこの上面６ａの反対面となる下面６ｂとを備えた扁平形状をしている。
【００２２】
第１フレーム６１は、マグネシウムダイキャストにより形成され、上面６１ａと下面６１ｂとを備えるとともに上面６１ａと下面６１ｂとを貫通した貫通部２２が形成されている。また、その両端部には、丸穴からなるガイド穴６ｃ、６ｃと、コの字形状に突き出したガイド部６ｄとが形成されている。ガイド穴６ｃ、６ｃに通された主軸５１と、ガイド部６ｄに通された副軸５２に沿って、光ヘッド装置１は、光ディスク２の半径方向に移動することができるようになっている。すなわち、ガイド穴６ｃ、６ｃおよびガイド部６ｄは、それぞれ主軸および副軸に係合する係合部になっている。また、第１フレーム６１には、第１および第２のレーザ発光素子３１、３２のリード端子３３、３３が半田ランド部（図示しない）に半田接続され、第１および第２のレーザ発光素子３１、３２を駆動するドライバー（図示しない）が搭載された配線基板としてのＦＰＣ６４が固定されている。なお、第１フレーム６１は、必ずしもマグネシウムダイキャストに限定されるものではなく、アルミダイキャストまたは亜鉛ダイキャスト等により形成してもよい。
【００２３】
第２フレーム６２は、亜鉛ダイキャストにより形成され、上面６２ａと下面６２ｂとを備えている。そして、この第２フレーム６２は、図５に示すように、貫通部２２内に内設され、その内壁に第２フレームの四隅が接着剤６７により接着固定されている。
【００２４】
本形態の第２フレーム６２には、受光素子７の他に、光学系を構成する所定の光学素子と、第1および第２のレーザ発光素子３１、３２等が載置されている。レーザ発光素子３１、３２は、ホルダ１３、１７を介して接着剤６８により接着固定されている。本形態における所定の光学系とは、具体的には、リレーレンズ１２、第１のグレーティングレンズ１４、第２のグレーティングレンズ１６、第１のプリズム１５、第２のプリズム１０、コリメータレンズ１８、モニタ用受光素子２３、センサレンズ２０、および導光ミラー２１である。
【００２５】
ただし、リレーレンズ１２は、ホルダ１７に固定されており、レーザ発光素子３１同様、間接的に第２フレーム６２へ載置されている。なお、第１、第２のグレーティング１４、１６が、それぞれ固定される壁部６２ｃ、６２ｄは、それぞれ第１、第２のレーザ発光素子３１、３２から出射されるレーザ光の出射方向と直交方向に形成された基準面（証面）になっている。また、第２フレーム６２は、必ずしも亜鉛ダイキャストに限定されるものではなく、アルミダイキャスト、またはマグネシウムダイキャスト等により形成しても良い。
【００２６】
ここで、第１フレーム６１は、図５に示すように、レーザ発光素子３１の出射方向を前方としたとき、ステム３４の前面より後方（Ｘ−Ｘより後方側）をリヤフレーム部６１ｃと称している。また、レーザ発光素子３２の出射方向を前方としたとき、ステム３５の前面より後方（Ｙ−Ｙより後方側）をリヤフレーム部６１ｄと称している。それぞれのリヤフレーム部６１ｃ、６１ｄにおいて、貫通部２２の内壁に対向したホルダ１３、１７の外壁との間には放熱部材としての放熱グリス６９が充填されている。本形態の場合、放熱グリス６９として、湿気硬化型放熱用樹脂が用いられており、具体的には、熱伝導性フィラーが配合されたシリル基含有特殊ポリマーが用いられている。その結果、図７に示される、レーザ発光素子の発光時間とステム表面での温度変化の様子から明らかなように、本形態における光ヘッド装置１（Ａ）では、リヤフレーム部を有していない従来タイプ（Ｂ）に比較して、ステム表面での温度を低く抑えることができる。
【００２７】
また、図６に示すように第２フレーム６２の上面６２ａには、受光素子７が内設され、その底面に受光素子７が載置される載置面６２ｅを有する凹部６２ｆが形成されている。第２フレーム６２の載置面６２ｅ上には、受光面７ａが対物レンズ９に対する反射光の入射方向（図６における上方向）を向くように、受光素子７が配設されており、受光素子７は、載置面６２ｅ上に沿って、第２フレーム６２の上面６２ａ側から取付位置調整可能になっている。
【００２８】
受光素子７は、ＩＣチップ７ｃを搭載するベース基板７ｂ側が、配線基板となるＦＰＣ６３の半田ランド部（図示しない）に半田接続され搭載されており、受光素子７の受光面７ａを載置面６２ｅに当接させた状態で、受光素子７が第２フレーム６２に接着固定させられている。すなわち、載置面６２ｅの近傍には、第２フレームの下面６２ｂに貫通した透孔６２Ｃが形成されており、その内壁と受光素子７の受光面７ａとに跨って接着剤６６が塗布されることにより、受光素子７が第２フレームに固定させられている。なお、ＦＰＣ６３の受光素子７が載置された反対側には、補強板６５が固着されている。故に、受光素子７の位置調整の際、ＦＰＣの変形が防止される。従って、受光素子７が半田接続された半田ランド部に応力がかからないので、受光素子７と半田ランド部との半田接続を防止することができる。
【００２９】
対物レンズ駆動装置５は、対物レンズ９を保持するレンズホルダ４０と、このレンズホルダ４０の左右両側で上下３段に配置された６本のワイヤ４１により、レンズホルダ４０をトラッキング方向、フォーカシング方向、およびチルト方向に変位可能に支持するホルダ支持部材４２と、対物レンズ駆動装置５のフレームを構成するヨーク４３（図３参照）とを備えている。ヨーク４３は、本体フレーム６の下面６ｂ側に取付られており、これによって、対物レンズ駆動装置５は、対物レンズ９が本体フレーム６の上面６ａ側に配置されるように、本体フレーム６に搭載されている。なお、支持部材４２は、本体フレーム６あるいはヨーク４３に固定支持されている。
【００３０】
対物レンズ駆動装置５は、レンズホルダ４０に取付られた駆動コイルおよびヨーク４３に取付られた駆動マグネットから構成される磁気駆動回路４４を備え、駆動コイルに対する通電を制御することによりレンズホルダ４０に支持された対物レンズ９を光ディスク２に対してトラッキング方向、フォーカシング方向およびチルト方向に駆動することができるようになっている。
【００３１】
（受光素子の取付位置調整）
以上のように構成された光ヘッド装置１における受光素子７の取付位置調整の方法を以下に説明する。
【００３２】
本形態においては、第２フレーム６２には、第１および第２のレーザ発光素子３１、３２からの出射光を平行光にするコリメータレンズ１８が光学系の最終段に載置されている。そのため、所定の光学素子等が載置された第２フレーム６２は平行光を出射する一つの光学ユニットとみなすことができる。そこで、本形態では、第１フレーム６１に第２フレーム６２を固定する前の状態、すなわちオフラインで受光素子７の取付位置を調整することになる。
【００３３】
オフラインでの受光素子７の取付位置調整には、光ディスク２に換えてレーザ光を反射する反射面を備えた擬似ディスク（図示省略）を用いる。また、コリメータレンズ１８から出射されたレーザ光を立ち上げる調整用ミラー（図示省略）、およびこの調整用ミラーによって立ち上げられたレーザ光を擬似ミラーに集光させる調整用レンズ（図示省略）を用いる。
【００３４】
擬似ディスクは、調整用レンズから出射光軸上に配置されるミラーである。擬似ディスクは、調整用レンズから出射されたレーザ光を反射すれば足りることから、光ディスク２に比べ小型のものを用いることができる。
【００３５】
上記の擬似ディスク、調整用ミラーおよび調整用レンズを用いて、オフラインで受光素子７の取付位置調整が行われる。具体的には、受光素子７、センサレンズ２０以外の光学素子、および第１のレーザ発光素子３１を予め位置調整した後、接着固定して載置した第２フレーム６２と、調整用ミラーと、調整用レンズと、擬似ディスクとを所定の治具によって保持する。
【００３６】
その後、第１のレーザ発光素子３１からレーザ光を出射して、擬似ディスクからの反射光を読みながら、受光素子７の取付位置調整を行う。より具体的には、図６に示すように、載置面６２ｅに沿って、平面方向（Ｘ方向およびＹ方向）で位置調整しつつ、センサレンズ２０を所定の治具を用いて位置調整して、受光面７ａに至る反射光の光路長（Ｚ方向）を調整する。この位置調整は、第２フレーム６２の上面６２ａ側から行う。
【００３７】
受光素子７の取付位置の調整が完了すると、受光素子７およびセンサレンズ２０を接着で第２フレーム６２に固定する。受光素子７の第２フレーム６２への接着に関しては上述した方法によりなされる。最後に、第２のレーザ発光素子３２からレーザ光を出射して、擬似ディスクからの反射光を受光素子７で読みながら、第２のレーザ発光素子３２の取付位置調整を行う。このように、所定の光学素子等を載置した第２フレーム６２を、受光素子７の取付位置調整が完了した状態で、第１フレーム６１の上面に固定するとともに、立ち上げミラー１９および対物レンズ駆動装置５を第１フレーム６１に搭載して光ヘッド装置１を完成する。
【００３８】
（本形態の主な効果）
以上説明したように、本形態の光ヘッド装置１において、フレーム６は、金属により形成され、光ディスクに対向する上面６ａおよび下面６ｂを有するとともに第１および第２のレーザ発光素子３１、３２が内設される上面６ａから下面６ｂに貫通した貫通部２２を有し、第１および第２のレーザ発光素子３１、３２のレーザ光の出射方向を前方とすると、第１および第２のレーザ発光素子３１、３２のステム３４、３５の前面より後方を第１のフレーム６１のリヤフレーム部６１ｃ、６１ｄとして、リヤフレーム部６１ｃ、６１ｄへレーザ発光素子３１、３２からの発熱を放熱する放熱グリス６９を有している。故に、第１および第２のレーザ発光素子３１、３２のステム３４、３５の前面より後方側のリヤフレーム部６１ｃ、６１ｄへ放熱することができるのでレーザ発光素子３１、３２からの発熱を効果的に行うことができる。
【００３９】
また、本形態において、放熱グリス６９は、貫通部２２に配設されているので、放熱グリス６９をフレーム６の上面６ａおよび下面６ｂからはみ出さないように、貫通部２２のみに充填されている。故に、放熱板をフレーム６の上面６ａまたは下面６ｂに積層した構成に比べて光ヘッド装置１の薄型化が図れる。しかも、放熱グリス６９は、レーザ発光素子３１、３２と貫通部２２との隙間等に隙間無く充填することができので、レーザ発光素子３１、３２からの発熱を効率よくリヤフレーム部６１ｃ、６１ｄ側へ放熱することができる。
【００４０】
さらに、本形態において、レーザ発光素子３１、３２は、ホルダ１３、１７を介して第２フレーム６２に固定され、ホルダ１３、１７は金属によって形成されるとともにホルダ１３、１７とリヤフレーム部６１ｃ、６１ｄの貫通部２２との間に放熱グリス６９を配設されている。故に、レーザ発光素子３１、３２からの発熱をホルダ１３、１７を介してリヤフレーム部６１ｃ、６１ｄへ放熱することができる。従って、ステム３４、３５の後方側にリード端子３３が接続されるＦＰＣ６４が配設された場合であっても、レーザ発光素子３１、３２からの発熱を効果的に放熱することができる。
【００４１】
また、本形態において、フレーム６が、ガイド穴６ｃ、６ｃおよび６ｄを有し、対物レンズ駆動装置５が載置された第１フレーム６１と、レーザ発光素子３１、３２、受光素子７、および光学系を構成する光学素子としての第１および第２のプリズム１５、１０、第１、第２のグレーティングレンズ１４、１６、コリメータレンズ１８、立ち上げミラー１９、センサレンズ２０、導光ミラー２１が載置された載置部を有する第２フレーム６２とから構成され、第１フレーム６１に貫通部２２が形成され、貫通部２２は、第２フレーム６２が内設されるとともに貫通部２２に対向する第２フレーム６２の対向面が接着固定されている。故に、第２フレーム６２を共通のモジュールとして第１フレーム６１に搭載することにより生産の合理化が図れる。さらに、第２フレーム６２の第１フレーム６１への固定が接着剤６７によって固定された場合であっても、第１および第２のレーザ発光素子３１、３２のステム３４、３５より後方側のリヤフレーム部６１ｃ、６１ｄへ放熱することができるので第１および第２のレーザ発光素子３１，３２からの発熱を効果的に行うことができる。
【００４２】
（他の実施の形態）
図８は、本発明の他の実施の形態にかかる光ヘッド装置において、（Ａ）、（Ｂ）はそれぞれ、カバーを上方側から見たときの斜視図、および（Ａ）のカバーをフレームに嵌着させた様子を上方側から見たときの斜視図である。
【００４３】
上述した形態は、本発明の好適な形態の一例ではあるが、これに限定されるものではなく本発明の要旨を変更しない範囲において種々変形可能である。たとえば、上述の形態では、放熱部材として放熱グリス６９が用いられているが、放熱グリス６９に換え、図８に示すようなカバー８を用いるようにしてもよい。カバー８は、本来、光学素子を保護するためにフレーム６の上面６ａに重合されるものであるが、本形態では、放熱部材としての機能を兼用させるため突起部８１、８１を形成させている。すなわち、カバー８は、ＳＵＳ、Ａｌ、およびＣｕ等の金属から形成されているため熱伝導率が高く、第１および第２のレーザ発光素子３１、３２のステム３４、３５に接触するように突起部８１、８１が形成されている。そのため、第１および第２のレーザ発光素子３１、３２の発熱をカバー８を介してステム３４、３５より後方側のリヤフレーム部６１ｃ、６１ｄへ放熱するための経路を確保することができるので、第１および第２のレーザ発光素子３１、３２からの発熱を効果的に放熱することができる。
【００４４】
また、上述した形態において、フレーム６は、第１フレーム６１と、第２フレーム６２とから構成されているが、第１フレームと第２フレームとに分割することなく一体に形成してもよい。このとき第１および第２のレーザ発光素子３１、３２は、それぞれフレーム６の上面６ａから下面６ｂに貫通した貫通部に配設されるように構成される。
【００４５】
さらに、上述した形態は、レーザ発光素子３１、３２としてキャンタイプレーザを用いたが、ホログラムタイプレーザを用いてもよい。
【００４６】
さらにまた、受光素子７の取付位置調整は必ずしもオフラインで行う必要はなく、完成された光ヘッド装置１と光ディスク２を用いて受光素子７の取付位置調整を行うようにしてもよい。
【図面の簡単な説明】
【００４７】
【図１】本発明の実施の形態にかかる光ヘッド装置の概略構成を模式的に示す概略構成図である。
【図２】図１に示す光ヘッド装置を上面側から見たときの斜示図である。
【図３】図１に示す光ヘッド装置を下面側からみたときの斜視図である。
【図４】図１に示す光ヘッド装置の第２のフレーム上に光学素子が載置された状態を下面側から示す斜示図である。
【図５】図２に示す光ヘッド装置の第２のフレームおよびその近傍を拡大した拡大図である。
【図６】図４に示す光ヘッド装置の受光素子周辺のＡ−Ａ断面を模式的に示す断面図である。
【図７】レーザ発光素子の発光時間とステム表面での温度変化の様子を示す説明図であり、Ａは、図１に示す光ヘッド装置におけるレーザ発光素子の発光時間とステム表面での温度変化の様子を示すとともに、Ｂは、リヤフレーム部を有していない従来タイプにおける光ヘッド装置のレーザ発光素子の発光時間とステム表面での温度変化の様子を示している。
【図８】本発明の他の実施の形態にかかる光ヘッド装置において、（Ａ）、（Ｂ）はそれぞれ、カバーを上方側から見たときの斜視図、および（Ａ）のカバーをフレームに嵌着させた様子を上方側から見たときの斜視図である。
【符号の説明】
【００４８】
１  光ヘッド装置
２  光ディスク
５対物レンズ駆動装置
６  フレーム
６ｃ  ガイド穴
６ｄ  ガイド部
７  受光素子
８  カバー
９  対物レンズ
１３  ホルダ
１７  ホルダ
１８  コリメータレンズ
２２  貫通部
３１  第１のレーザ発光素子
３２  第２のレーザ発光素子
３４、３５  ステム
５１  主軸
５２  副軸
６１  第１フレーム
６１ａ  上面
６１ｂ  下面
６１ｃ、６１ｄ  リヤフレーム部
６２  第２フレーム
６２ａ  上面
６２ｂ  下面
６２ｅ  載置面（証面）
６９  放熱グリス（放熱部材）
【図１】
2006139812.tif 000003
【図２】
2006139812.tif 000004
【図３】
2006139812.tif 000005
【図４】
2006139812.tif 000006
【図５】
2006139812.tif 000007
【図６】
2006139812.tif 000008
【図７】
2006139812.tif 000009
【図８】
2006139812.tif 000010